(57)【要約】      （修正有）【課題】本尊の絵像や題目の表示部に立体感や奥行き感を実現し、重厚さ、厳粛さのあるスタンド型の掛軸を提供する。  【解決手段】仏壇の中央に安置して使用するスタンド型掛軸であって、上部に笠部１１、下部に台部１２、左右に側板１３、背部に背板を備え、前面側を開放した前後方向に所定寸法以上の奥行きがある縦長の箱型匡体１と、該箱型匡体の内側中央部に位置し、当該箱型匡体の上記背板および左右両側板から離間した状態で、上記笠部と台部との間に着脱可能に支持された短冊板２１構造の掛軸２とからなり、上記笠部の下面側には上記掛軸の上端を挿入する掛軸上端挿入溝、上記台部の上面側には上記掛軸の下端を挿入する、上記掛軸上端挿入溝よりも深さが浅い掛軸下端挿入溝が設けられ、それら掛軸上端挿入溝および掛軸下端挿入溝を利用して上記掛軸が上記笠部と台部との間に着脱可能に支持されている。【選択図】図１
0003222614.tif 000002
【実用新案登録請求の範囲】
【請求項１】
仏壇の中央に安置して使用するスタンド型掛軸であって、上部に笠部、下部に台部、左右に側板、背部に背板を備え、前面側を開放した前後方向に所定寸法以上の奥行きがある縦長の箱型匡体と、該箱型匡体の内側中央部に位置し、当箱型匡体の上記背板および左右両側板から離間した状態で、上記笠部と台部との間に着脱可能に支持された短冊板構造の掛け軸とからなることを特徴とするスタンド型掛軸。
【請求項２】
箱型匡体内の背板の手前には後背板が設けられ、該後背板は左右両方向に円弧形状に曲成され、中央部に支持された掛け軸の背後に背面側中央部が窪んだ凹面形状の奥行きのある掛け軸設置空間を形成していることを特徴とする請求項１記載のスタンド型掛軸。
【請求項３】
箱型匡体の左右両側板中央部の前後方向の幅は上下両端側よりも小さく形成され、掛軸中央の仏画表示部分に前方への立体感を与えているとともに、斜め方向から良く見えるようにしたことを特徴とする請求項１又は２記載のスタンド型掛軸。
【考案の詳細な説明】
【技術分野】
【０００１】
この出願の考案は、仏壇用の仏具であるスタンド型掛軸の構造に関するものである。
【背景技術】
【０００２】
一般に仏壇内には、寺院の内陣を模して、宗派に応じた本尊の仏画（絵像）や題目を表示した掛軸が掛けられるようになっている。しかし、従来の一般的な掛軸は、背板（向う板）の前面側に留め具を設けることが必要であった。
【０００３】
そこで、最近では、そのような留め具を必要とせずに設置できるスタンド型（安置型）の掛軸が増えている（たとえば、特許文献１の掛軸の構成を参照）。
【先行技術文献】
【特許文献】
【０００４】
【特許文献１】特開２０１６−１８７４３４号公報
【考案の概要】
【考案が解決しようとする課題】
【０００５】
しかし、これまで提供されている従来のスタンド型掛軸は、前後２枚のアクリル板の間に本尊の絵像や題目を表示した仏画紙を挟み込んだだけのものや、木製の枠を有する表示板の前面に同仏画紙を貼っただけのものが殆どであり、本尊の絵像や題目の表示部に立体感や奥行き感がなく、重厚さ、厳粛さに欠けるものが多い。そのため、モダン仏壇やミニ仏檀の場合にはともかく、本格的な仏壇には合わないものが多い。
【０００６】
また、前後２枚のアクリル板の間に仏画紙を挟み込むものの場合、一般に仏画紙を装着しにくく、製品によっては装着時や交換時に仏画紙が破れることもあった。
【０００７】
本願考案は、このような課題を解決するためになされたもので、スタンド部を前面側を開放した前後方向に奥行きがある箱型匡体に形成すると共に、掛軸部分を短冊板構造に形成し、上記箱型匡体の内側に当該短冊板構造の掛け軸をその背板および左右両側板から離間した状態で着脱可能に支持することにより、本尊の絵像や題目の表示部に立体感や奥行き感を実現し、また、掛軸部分の交換を容易にしたスタンド型の掛軸を提供することを目的としている。
【課題を解決するための手段】
【０００８】
本願考案は、上記課題を解決するために、次のような課題解決手段を備えて構成されている。
【０００９】
（１）請求項１の考案の課題解決手段
この請求項１の考案の課題解決手段は、仏壇の中央に安置して使用するスタンド型の掛け軸であって、上部に笠部、下部に台部、左右に側板、背部に背板を備え、前面側を開放した前後方向に所定寸法以上の奥行きがある縦長の箱型匡体と、該箱型匡体の内側中央部に位置し、当該箱型匡体の上記背板および左右両側板から離間した状態で、上記笠部と台部との間に着脱可能に支持された短冊板構造の掛け軸とからなっている。
【００１０】
このような構成によると、掛軸が設置される箱型匡体が、上部に笠部、下部に台部、左右に側板、背部に背板を備え、前後方向に所定寸法以上の奥行きがある重厚、かつ厳粛な寺院構造に形成されており、その中に短冊板構造の独立した構造体の掛軸が、中央部に位置し、背板および左右両側板から離間した立体的な状態で、笠部と台部との間に設置される。
【００１１】
したがって、製品全体として、効果的に重厚さ、厳粛さ、立体感を実現することができる。
【００１２】
また、掛け軸自体が、短冊板構造をなし、箱型匡体とは別体の独立した構造体となっていて、箱型匡体の笠部と台部との間に着脱可能な状態で設置されている。
【００１３】
したがって、重厚さ、厳粛さのある箱型匡体そのものをプラットフォーム品として共用化し、短冊板自体に表示される仏画や題目を各宗派に応じたものとすれば、短冊板を交換するだけで、全ての宗派に応じたスタンド掛軸を構成することができる。
【００１４】
しかも、予め仏画や題目文字が表示されている独立した構造体である短冊板自体を交換するので、従来のアクリル板構造のスタンド掛軸のように、薄い仏画紙、題目紙を挟み込む手間は要らず、板であるから破れる恐れもない。
【００１５】
（２）請求項２の考案の課題解決手段
この請求項２の考案の課題解決手段は、上記請求項１の課題解決手段の構成において、箱型匡体内の背板の手前には後背板が設けられ、該後背板は左右両方向に円弧形状に曲成され、中央部に支持された掛け軸の背後に背面側中央部が窪んだ凹面形状の奥行きのある掛軸設置空間を形成している。
【００１６】
このような構成によれば、より奥行き感があり、より立体感のある掛軸構造を実現することができる。
【００１７】
（３）請求項３の考案の課題解決手段
この請求項３の考案の課題解決手段は、上記請求項１又は２の課題解決手段の構成において、箱型匡体の左右両側板中央部の前後方向の幅は上下両端側よりも小さく形成され、掛け軸中央の仏画表示部分に前方への立体感を与えているとともに、斜め方向から良く見えるようにしている。
【００１８】
このような構成によれば、掛軸中央の仏画部分が、より立体的に見えるようになり、また左右斜め方向からも見やすくなる。
【考案の効果】
【００１９】
以上の結果、本願考案によると、従来のスタンド型掛軸にはない、重厚、かつ厳粛で、立体感に富み、仏画部等の交換、組み換えが容易なスタンド型掛け軸を実現することができる。
【図面の簡単な説明】
【００２０】
【図１】本願考案の実施形態に係るスタンド型掛軸の正面図である。
【図２】同スタンド型掛軸の図１のＡ−Ａ線断面図である。
【図３】同スタンド型掛軸の図１のＢ−Ｂ線断面図である。
【図４】同スタンド型掛軸の図１のＣ−Ｃ線断面図である。
【図５】同スタンド型掛軸の図３の断面図の右半分部分を拡大した拡大断面図である。
【図６】同スタンド型掛け軸の箱型匡体部分の正面図である。
【図７】同スタンド型掛け軸の図６のＡ−Ａ線断面図である。
【図８】同スタンド型掛け軸の図６のＢ−Ｂ線断面図である。
【図９】同スタンド型掛け軸の図６のＣ−Ｃ線断面図である。
【図１０】同スタンド型掛け軸の掛軸部分の正面図である。
【図１１】同スタンド型掛け軸の図１０のＡ−Ａ線断面図である。
【図１２】同スタンド型掛け軸の箱型匡体上部における掛軸上端の嵌合構造を示す説明図である。
【図１３】同スタンド型掛け軸の掛軸を構成する短冊板本体部分の正面図である。
【図１４】同スタンド型掛け軸の図１３のＡ−Ａ線断面図である。
【図１５】同スタンド型掛け軸の仏画シール部分の正面図である。
【図１６】同スタンド型掛け軸の  図１５のＡ−Ａ線断面図である。
【図１７】本願考案の実施形態の変形例１に係るスタンド型掛軸の後背板部分の断面図である。
【図１８】本願考案の実施形態の変形例２に係るスタンド型掛軸の仏画シール部分の正面図である。
【図１９】同変形例２に係るスタンド型掛け軸の図１８のＡ−Ａ線断面図である。
【図２０】同変形例２に係るスタンド型掛軸の掛軸部分の正面図である。
【図２１】同スタンド型掛け軸の図２０のＡ−Ａ線断面図である。
【考案を実施するための形態】
【００２１】
以下、図１〜図２１を参照して、本願の考案を実施するための形態に係るスタンド型掛軸の構成について詳細に説明する。
【００２２】
先ず、図１〜図５は、本願考案の実施の形態に係るスタンンド型掛軸の全体的な構成を示している。次に、図６〜図９は、同スタンド型掛け軸の箱型匡体部分（スタンド部分）の構成を示している。さらに図１０〜図１６は、同スタンド型掛軸の掛軸部分の構成を示している。
【００２３】
すなわち、このスタンド型掛軸は、大きく分けると、前面側を開放した縦長の箱型匡体１（図６〜図９）と、該箱型匡体１の内側中央部に位置して着脱可能に支持された短冊板構造の掛け軸２（図１０〜図１６）との２つの部分からなっている。そして、箱型匡体１が掛軸２を支持するスタンド部分、掛軸２が同箱型匡体１内に着脱可能に支持される掛軸部分を構成しており、両者は、それぞれ相互に独立したユニット構造体となっている。
【００２４】
縦長の箱型匡体１は、天板１１ａ，台輪１１ｂよりなる上部側笠部１１と、下台輪１２ａ，上台輪１２ｂ，敷居１２ｃよりなる下部側台部１２と、それらの両側部を連結する左右両側板１３，１３と、笠部１１、台部１２、左右両側板１３，１３間の背面に設けられた背板１４と、笠部１１、台部１２、左右両側板１３，１３間の背板１４の前面側に設けられた後背板１５とから構成されている。これら各構成部材には、背板１４を除いて、例えばウオールナットなどの銘木材が用いられている。
【００２５】
そして、該箱型匡体１の上部側笠部１１の台輪１１ｂの下面及び下部側台部１２の敷居１２ｃの上面には、それぞれ掛軸挿入溝１１ｃ、１２ｄが設けられており、これら掛軸挿入溝１１ｃ、１２ｄ間に仏像２３ａを表示した仏画紙２３を有する短冊板構造の掛軸２の上下両端２１ｂ，２１ｃが嵌合（挿入）されて、上記背板１４および左右両側板１３，１３から離間した立体的な状態で着脱可能に支持されている。これら掛軸挿入溝１１ｃ、１２ｄ相互の深さ関係は、上部側１１ｃの方が下部側１２ｄよりも所定寸法深く形成されており、嵌合時及び取り外し時には、掛軸２の上端２１ｂを掛軸挿入溝１１ｃの上端まで突き当てた状態で、下端２１ｃを掛軸挿入溝１２ｄに入れるか、又は取り出すようにする。また、下部側の掛軸挿入溝１２ｄは、図１及び図２に示すように、掛軸挿入溝１１ｃ、１２ｄ間に挿入嵌合された掛軸２の上端２１ｂが掛軸挿入溝１１ｃ内に所定寸法係合し、安定した支持状態に維持される深さのものとなっている。
【００２６】
背板１４には、一例として、例えば裏面側がウオールナットと同色に塗装されたベニヤ板が使用され、その上部側は、上記台輪１１ｂ後端の断面鉤形の背板嵌合部１１ｆに、下部側は、上記敷居１２ｃ後端の断面鉤形の背板嵌合部１２ｆに、それぞれ嵌合する形で取り付けられている。
【００２７】
後背板１５は、一例として、例えばウオールナット材を用いた突き板により構成されていて、例えば図３及び図４に示すように、左右両方向に円弧形状に曲成され、上記箱型匡体１内中央部に支持された上記短冊板構造の掛け軸２の背後に中央部が窪んだ凹面形状の奥行きのある掛け軸設置空間を上下方向に延びる形で形成している。この後背板１５の上下両端部は、例えば図２に示すように、上記台輪部１１ｂの下面、敷居１２ｃの上面に設けられた同じ円弧形状の凹溝部１１ｅ，１２ｅにそれぞれ係合され、また、左右両端部は、例えば図５のように、左右両側板１３，１３の内面に設けられたＶ字形状の溝１３ｄ，１３ｄにそれぞれ無理嵌めされ、それによって上記凹面形状に維持されている。
【００２８】
また、左右両側板１３，１３の中央部１３ｃ，１３ｃ部分の前後方向の幅は、例えば図２に示すように、上下両端部１３ａ，１３ｂ部分よりも所定寸法以上小さく形成されていて、上記掛軸２中央の上下方向に長い長方形状の仏画紙２３の上下幅（長さ）に対応した緩やかな曲面状の凹部を形成しており、同凹部によって掛け軸２における上下方向中央部の仏画紙２３の仏像２３ａ部分が相対的に前方に位置して見えるように構成している。
【００２９】
この結果、同構成によれば、上記短冊板構造の独立したユニット構造体の掛軸２が、上記箱型匡体１内の中央部に位置し、上記背板１４および左右両側板１３，１３から離間した立体的な状態で、笠部１１と台部１２との間に設置されて、掛軸２自体が前後左右方向に立体的に支持されていることと相俟って、より掛軸２の仏画紙２３の仏像２３ａ部分の立体感を実現することができ、さらに正面からだけでなく、斜め方向からも立体感を伴って良く見えるようになる。
【００３０】
また、左右両側板１３，１３の上下両端１３ａ，１３ａ、１３ｂ，１３ｂ部分には、例えばウオールナット材の色および木目模様に対して有効なコントラストを有する所定の長さのオーク材１６，１６、１６，１６よりなる象嵌加工が施され、それによって、上記左右両側板１３，１３の上下両端１３ａ，１３ａ、１３ｂ，１３ｂ部分の前方への突出感を強調していると共に、より中央部の凹部感を深くするようにしている。この結果、同構成によっても、より掛軸２中央の仏画部分の立体感が表される。
【００３１】
一方、短冊板構造の掛け軸２は、上下に長い所定厚さの短冊板２１の中央部分が上下方向に長い長方形状の窓枠２１ａ構造に刳り抜かれ（図１３及び図１４参照）、その背面側に、仏像（絵像）２３ａを表した仏画紙２３を前面側に貼った仏画シール２２（図１５及び図１６参照）が貼り付けられている（図１０及び図１１参照）。この実施の形態の場合、仏画シール２２は、短冊板２１と同じ形状、同じ大きさに形成され、その前面側の上端から下端までの全体が接着面２２ａに形成されている。
【００３２】
そして、その接着面２２ａを利用して、まず中央部に仏像２３ａを表した上下方向に長い長方形状の仏画紙２３が貼られ（図１５及び図１６の状態）、その後、同仏画紙２３の上下に残された接着面２２ａ，２２ａを利用して、図１３及び図１４に示される短冊板２１の背面に、図１０及び図１１に示すように貼り付けられる。そして、同貼り付け状態では、当該仏画シール２２の前面に貼られた仏画紙２３の仏像２３ａ部分が、短冊板２１の窓枠２１ａの開口から前方に臨まされる。このようにして、短冊板構造の掛軸２が構成される（図１０及び図１１参照）。
【００３３】
上記短冊板２１は、一例として、例えば匡体１側ウオールナットの色および木目模様に対して有効なコントラストを有するオーク材が用いられており、それによっても箱型匡体１内における掛軸２の立体感を出すようにしている。
【００３４】
このような構成の場合、宗派に応じた所望の仏像２３ａを表す仏画紙２３を任意に採用し、同仏画紙２３を仏画シール２２の前面に貼り、その後、同仏画シール２２を短冊板２１の裏面に貼り付けるだけで、各宗派に応じた複数の種類の掛け軸２，２・・を構成することができ、図６〜図９に示す箱型匡体１はもちろん、図１３及び図１４に示す短冊板２１、図１５及び図１６に示す仏画シール２２をも構成上共用化することができるようになる。
【００３５】
この場合、上記仏画紙２３を貼り付ける仏画シール２２には、例えば裏面２２ｂ側に所定の木目模様を印刷した可撓性のある合性樹脂製のシート材を用いており、短冊板２１裏面への貼り付け（接合）作業が容易になるように考慮されている。もちろん、この仏画シール２２には、それ以外に、例えば短冊板２１と同じオーク材の突き板を用いた所定の厚さの可撓性のある薄板を用いても良い。
【００３６】
さらに、この実施の形態の構成では、上記箱型匡体１の掛軸設置空間上端側には、台輪１１ｂの前端側中央部に位置して円弧形状の隠し縁１１ｄが下方に向けて設けられており、上記箱型匡体１の掛軸設置空間内に設置された掛軸２の上端側を覆うようにして、上端側台輪１１ｂ部分への嵌合部が見えないようにしており、掛軸設置空間の内部的な深みを表すと同時に、また掛軸２そのものの自立状態を感じさせるようにしている。この隠し縁１１ｄは、台輪１１ｂの下面側に形成された溝１１ｇ内に上端側を嵌合して固定されている。
【００３７】
以上に説明したように、本願考案の実施の形態に係るスタンド掛軸は、仏壇の中央に安置して使用するスタンド型の掛け軸であって、上部に笠部１１、下部に台部１２、左右に側板１３，１３、背部に背板１４を備え、前面側を開放した前後方向に所定寸法以上の奥行きがある縦長の箱型匡体１と、該箱型匡体１の内側中央部に位置し、当箱型匡体１の上記背板１４および左右両側板１３，１３から離間した状態で、上記笠部１１と台部１２との間に着脱可能に支持された短冊板構造の掛け軸２とからなっている。
【００３８】
このような構成によると、掛軸２が設置される箱型匡体１が、上部に笠部１１、下部に台部１２、左右に側板１３，１３、背部に背板１４を備え、前後方向に所定寸法以上の奥行きがある重厚、かつ厳粛な寺院構造に形成されており、その中に短冊板構造の独立したユニット構造体の掛軸２が、中央部に位置し、上記背板１４および左右両側板１３，１３から所定の距離だけ離間した立体的な状態で、上記笠部１１と台部１２との間に設置される。
【００３９】
したがって、製品全体として、効果的に重厚さ、厳粛さ、立体感を実現することができる。
【００４０】
また、掛け軸２自体が、短冊板構造をなし、箱型匡体１とは別体の独立したユニット構造体となっていて、箱型匡体１の笠部１１と台部１２との間に着脱可能な状態で設置されるようになっている。
【００４１】
したがって、重厚さ、厳粛さのある箱型匡体１そのものをプラットフォーム品として共用化し、短冊板２１自体に表示される仏画や題目を各宗派に応じたものとすれば、短冊板２１を交換するだけで、全ての宗派に応じたスタンド掛軸を構成することができる。
【００４２】
しかも、予め仏画や題目文字が表示されている独立した構造体である短冊板２１自体を交換するので、従来のアクリル板構造のスタンド掛け軸のように、薄い仏画紙、題目紙を挟み込む手間は要らず、板であるから破れる恐れもない。
【００４３】
また、以上の構成では、箱型匡体１内の背板１４の手前には後背板１５が設けられ、該後背板１５は左右両方向に円弧形状に曲成され、中央部に支持された掛軸２の背後に背面側中央部が窪んだ凹面形状の奥行きのある掛け軸設置空間が形成されている。
【００４４】
このような構成によれば、より奥行き感があり、より立体感のある掛軸構造を実現することができる。
【００４５】
さらに、以上の構成の場合、上記箱型匡体１の左右両側板１３，１３中央部の前後方向の幅は上下両端側より小さく形成され、掛け軸２中央の仏画表示部分に前方への立体感を与えているとともに、斜め方向からも立体感を伴って良く見えるようにしている。
【００４６】
このような構成によれば、掛軸２中央の仏画部分が、より立体的に見えるようになり、また左右斜め方向からも見やすくなる。
【００４７】
以上の結果、本願考案の実施の形態によると、従来のスタンド型掛軸にはない、重厚、かつ厳粛で、立体感に富み、しかも、仏画部等の交換、組み換えが容易なスタンド型掛け軸を実現することができる。
【００４８】
＜変形例１について＞
次に、図１７は、上記本願考案の実施の形態の変形例１に係るスタンド掛軸の箱型匡体の後背板部分の構成を示している。
【００４９】
上述した箱型匡体１における後背板１５は、一例として、木目模様が美しく、薄くて曲げ加工が容易な突き板を使用して構成されている。しかし、突き板は、薄くて、割れやすい欠点も持っている。
【００５０】
そこで、この変形例では、その欠点を補うために、当該突き板１５ａの裏面側に、たとえば透明なフィルム状のポリエチレンシートなどの伸縮性のある樹脂製補強シート１５ｂを貼り合わせて一体に構成したことを特徴としている。
【００５１】
このような構成を採用すると、突き板独特の木目の美しさを失わせることなく、割れにくく、加工性の良い後背板１５を実現することができる。
【００５２】
＜変形例２について＞
次に、図１８〜図２１は、上記本願考案の実施の形態の変形例２に係るスタンド掛軸の掛け軸部分の構成を示している。
【００５３】
上記実施の形態では、図１０及び図１１、図１５及び図１６に示すように、仏画シール２２が短冊板２１と同じ形状、同じ大きさに形成され、短冊板２１の裏面側全体に貼り付けられるようになっている。したがって、接着面積も広く、シール材、接着剤が多く必要なだけでなく、接合作業にも時間を要する。
【００５４】
そこで、この変形例２の構成では、たとえば図１８及び図１９に示すように、仏画シール２２の上下両端側の長さを大幅に短く形成し、最低限必要な接着面２２ａ，２２ａを残して、図２０及び図２１のように短冊板２１の裏面に貼り付けるようにしている。
【００５５】
このような構成によると、接着面積が大幅に減り、シール材、接着剤を節約できることは素より、接合作業も簡単になり、製造効率が向上する。
【００５６】
＜その他の変形例＞
匡体１、掛け軸２等を構成する素材は、ウオールナット、オーク材に限られるものでないことはもちろんであり、各種の銘木、木材、その他、合成樹脂材の採用も可能である。
【符号の説明】
【００５７】
１は箱型匡体、２は掛軸、１１は笠部、１２は台部、１３は側板、１４は背板、１５は後背板、２１は短冊板、２１ａは窓枠、２２は仏画シール、２２ａは接着面、２３は仏画紙、２３ａは仏像（絵像）である。
【図１】
0003222614.tif 000003
【図２】
0003222614.tif 000004
【図３】
0003222614.tif 000005
【図４】
0003222614.tif 000006
【図５】
0003222614.tif 000007
【図６】
0003222614.tif 000008
【図７】
0003222614.tif 000009
【図８】
0003222614.tif 000010
【図９】
0003222614.tif 000011
【図１０】
0003222614.tif 000012
【図１１】
0003222614.tif 000013
【図１２】
0003222614.tif 000014
【図１３】
0003222614.tif 000015
【図１４】
0003222614.tif 000016
【図１５】
0003222614.tif 000017
【図１６】
0003222614.tif 000018
【図１７】
0003222614.tif 000019
【図１８】
0003222614.tif 000020
【図１９】
0003222614.tif 000021
【図２０】
0003222614.tif 000022
【図２１】
0003222614.tif 000023
【手続補正書】
【提出日】令和1年6月14日(2019.6.14)
【手続補正１】
【補正対象書類名】実用新案登録請求の範囲
【補正対象項目名】全文
【補正方法】変更
【補正の内容】
【実用新案登録請求の範囲】
【請求項１】
仏壇の中央に安置して使用するスタンド型掛軸であって、上部に笠部、下部に台部、左右に側板、背部に背板を備え、前面側を開放した前後方向に所定寸法以上の奥行きがある縦長の箱型匡体と、該箱型匡体の内側中央部に位置し、当該箱型匡体の上記背板および左右両側板から離間した状態で、上記笠部と台部との間に着脱可能に支持された短冊板構造の掛け軸とからなり、上記笠部の下面側には上記掛け軸の上端を挿入する掛け軸上端挿入溝、上記台部の上面側には上記掛け軸の下端を挿入する、上記掛け軸上端挿入溝よりも深さが浅い掛け軸下端挿入溝が設けられ、それら掛け軸上端挿入溝および掛け軸下端挿入溝を利用して上記掛け軸が上記笠部と台部との間に着脱可能に支持されていることを特徴とするスタンド型掛軸。
【請求項２】
箱型匡体内の背板の手前には後背板が設けられ、該後背板は左右両方向に円弧形状に曲成され、中央部に支持された掛け軸の背後に背面側中央部が窪んだ凹面形状の奥行きのある掛け軸設置空間を形成していることを特徴とする請求項１記載のスタンド型掛軸。
【請求項３】
箱型匡体の左右両側板中央部の前後方向の幅は上下両端側よりも小さく形成され、掛軸中央の仏画表示部分に前方への立体感を与えているとともに、斜め方向から良く見えるようにしたことを特徴とする請求項１又は２記載のスタンド型掛軸。
【手続補正２】
【補正対象書類名】明細書
【補正対象項目名】全文
【補正方法】変更
【補正の内容】
【考案の詳細な説明】
【技術分野】
【０００１】
この出願の考案は、仏壇用の仏具であるスタンド型掛軸の構造に関するものである。
【背景技術】
【０００２】
一般に仏壇内には、寺院の内陣を模して、宗派に応じた本尊の仏画（絵像）や題目を表示した掛軸が掛けられるようになっている。しかし、従来の一般的な掛軸は、背板（向う板）の前面側に留め具を設けることが必要であった。
【０００３】
そこで、最近では、そのような留め具を必要とせずに設置できるスタンド型（安置型）の掛軸が増えている（たとえば、特許文献１の掛軸の構成を参照）。
【先行技術文献】
【特許文献】
【０００４】
【特許文献１】特開２０１６−１８７４３４号公報
【考案の概要】
【考案が解決しようとする課題】
【０００５】
しかし、これまで提供されている従来のスタンド型掛軸は、前後２枚のアクリル板の間に本尊の絵像や題目を表示した仏画紙を挟み込んだだけのものや、木製の枠を有する表示板の前面に同仏画紙を貼っただけのものが殆どであり、本尊の絵像や題目の表示部に立体感や奥行き感がなく、重厚さ、厳粛さに欠けるものが多い。そのため、モダン仏壇やミニ仏檀の場合にはともかく、本格的な仏壇には合わないものが多い。
【０００６】
また、前後２枚のアクリル板の間に仏画紙を挟み込むものの場合、一般に仏画紙を装着しにくく、製品によっては装着時や交換時に仏画紙が破れることもあった。
【０００７】
本願考案は、このような課題を解決するためになされたもので、スタンド部を前面側を開放した前後方向に奥行きがある箱型匡体に形成すると共に、掛軸部分を短冊板構造に形成し、上記箱型匡体の内側に当該短冊板構造の掛け軸をその背板および左右両側板から離間した状態で着脱可能に支持することにより、本尊の絵像や題目の表示部に立体感や奥行き感を実現し、また、掛軸部分の交換を容易にしたスタンド型の掛軸を提供することを目的としている。
【課題を解決するための手段】
【０００８】
本願考案は、上記課題を解決するために、次のような課題解決手段を備えて構成されている。
【０００９】
（１）請求項１の考案の課題解決手段
この請求項１の考案の課題解決手段は、仏壇の中央に安置して使用するスタンド型の掛け軸であって、上部に笠部、下部に台部、左右に側板、背部に背板を備え、前面側を開放した前後方向に所定寸法以上の奥行きがある縦長の箱型匡体と、該箱型匡体の内側中央部に位置し、当該箱型匡体の上記背板および左右両側板から離間した状態で、上記笠部と台部との間に着脱可能に支持された短冊板構造の掛け軸とからなり、上記笠部の下面側には上記掛け軸の上端を挿入する掛け軸上端挿入溝、上記台部の上面側には上記掛け軸の下端を挿入する、上記掛け軸上端挿入溝よりも深さが浅い掛け軸下端挿入溝が設けられ、それら掛け軸上端挿入溝および掛け軸下端挿入溝を利用して上記掛け軸が上記笠部と台部との間に着脱可能に支持されている。
【００１０】
このような構成によると、掛軸が設置される箱型匡体が、上部に笠部、下部に台部、左右に側板、背部に背板を備え、前後方向に所定寸法以上の奥行きがある重厚、かつ厳粛な寺院構造に形成されており、その中に短冊板構造の独立した構造体の掛軸が、中央部に位置し、背板および左右両側板から離間した立体的な状態で、笠部と台部との間に設置される。
【００１１】
したがって、製品全体として、効果的に重厚さ、厳粛さ、立体感を実現することができる。
【００１２】
また、上記掛け軸自体が短冊板構造をなし、上記箱型匡体とは別体の独立した構造体となっている一方、上記箱型匡体の笠部の下面側には上記短冊板構造の掛け軸の上端を挿入する掛け軸上端挿入溝、上記台部の上面側には上記短冊板構造の掛け軸の下端を挿入する、上記掛け軸上端挿入溝よりも深さが浅い掛け軸下端挿入溝が設けられており、それら掛け軸上端挿入溝および掛け軸下端挿入溝を利用して上記短冊板構造の掛け軸が上記箱型匡体の笠部と台部との間に位置して着脱可能に支持されている。
【００１３】
したがって、重厚さ、厳粛さのある箱型匡体そのものをプラットフォーム品として共用化し、短冊板構造の掛け軸自体に表示される仏画や題目を各宗派に応じたものとすれば、短冊板構造の掛け軸を交換するだけで、全ての宗派に応じたスタンド掛軸を構成することができる。
【００１４】
しかも、予め仏画や題目文字が表示されている独立した構造体である短冊板構造の掛け軸自体を交換するので、従来のアクリル板構造のスタンド掛軸のように、薄い仏画紙、題目紙を挟み込む手間は要らず、板であるから破れる恐れもない。
【００１５】
（２）請求項２の考案の課題解決手段
この請求項２の考案の課題解決手段は、上記請求項１の課題解決手段の構成において、箱型匡体内の背板の手前には後背板が設けられ、該後背板は左右両方向に円弧形状に曲成され、中央部に支持された掛け軸の背後に背面側中央部が窪んだ凹面形状の奥行きのある掛軸設置空間を形成している。
【００１６】
このような構成によれば、より奥行き感があり、より立体感のある掛軸構造を実現することができる。
【００１７】
（３）請求項３の考案の課題解決手段
この請求項３の考案の課題解決手段は、上記請求項１又は２の課題解決手段の構成において、箱型匡体の左右両側板中央部の前後方向の幅は上下両端側よりも小さく形成され、掛け軸中央の仏画表示部分に前方への立体感を与えているとともに、斜め方向から良く見えるようにしている。
【００１８】
このような構成によれば、掛軸中央の仏画部分が、より立体的に見えるようになり、また左右斜め方向からも見やすくなる。
【考案の効果】
【００１９】
以上の結果、本願考案によると、従来のスタンド型掛軸にはない、重厚、かつ厳粛で、立体感に富み、仏画部等の交換、組み換えが容易なスタンド型掛け軸を実現することができる。
【図面の簡単な説明】
【００２０】
【図１】本願考案の実施形態に係るスタンド型掛軸の正面図である。
【図２】同スタンド型掛軸の図１のＡ−Ａ線断面図である。
【図３】同スタンド型掛軸の図１のＢ−Ｂ線断面図である。
【図４】同スタンド型掛軸の図１のＣ−Ｃ線断面図である。
【図５】同スタンド型掛軸の図３の断面図の右半分部分を拡大した拡大断面図である。
【図６】同スタンド型掛け軸の箱型匡体部分の正面図である。
【図７】同スタンド型掛け軸の図６のＡ−Ａ線断面図である。
【図８】同スタンド型掛け軸の図６のＢ−Ｂ線断面図である。
【図９】同スタンド型掛け軸の図６のＣ−Ｃ線断面図である。
【図１０】同スタンド型掛け軸の掛軸部分の正面図である。
【図１１】同スタンド型掛け軸の図１０のＡ−Ａ線断面図である。
【図１２】同スタンド型掛け軸の箱型匡体上部における掛軸上端の嵌合構造を示す説明図である。
【図１３】同スタンド型掛け軸の掛軸を構成する短冊板本体部分の正面図である。
【図１４】同スタンド型掛け軸の図１３のＡ−Ａ線断面図である。
【図１５】同スタンド型掛け軸の仏画シール部分の正面図である。
【図１６】同スタンド型掛け軸の  図１５のＡ−Ａ線断面図である。
【図１７】本願考案の実施形態の変形例１に係るスタンド型掛軸の後背板部分の断面図である。
【図１８】本願考案の実施形態の変形例２に係るスタンド型掛軸の仏画シール部分の正面図である。
【図１９】同変形例２に係るスタンド型掛け軸の図１８のＡ−Ａ線断面図である。
【図２０】同変形例２に係るスタンド型掛軸の掛軸部分の正面図である。
【図２１】同スタンド型掛け軸の図２０のＡ−Ａ線断面図である。
【考案を実施するための形態】
【００２１】
以下、図１〜図２１を参照して、本願の考案を実施するための形態に係るスタンド型掛軸の構成について詳細に説明する。
【００２２】
先ず、図１〜図５は、本願考案の実施の形態に係るスタンンド型掛軸の全体的な構成を示している。次に、図６〜図９は、同スタンド型掛け軸の箱型匡体部分（スタンド部分）の構成を示している。さらに図１０〜図１６は、同スタンド型掛軸の掛軸部分の構成を示している。
【００２３】
すなわち、このスタンド型掛軸は、大きく分けると、前面側を開放した縦長の箱型匡体１（図６〜図９）と、該箱型匡体１の内側中央部に位置して着脱可能に支持された短冊板構造の掛け軸２（図１０〜図１６）との２つの部分からなっている。そして、箱型匡体１が掛軸２を支持するスタンド部分、掛軸２が同箱型匡体１内に着脱可能に支持される掛軸部分を構成しており、両者は、それぞれ相互に独立したユニット構造体となっている。
【００２４】
縦長の箱型匡体１は、天板１１ａ，台輪１１ｂよりなる上部側笠部１１と、下台輪１２ａ，上台輪１２ｂ，敷居１２ｃよりなる下部側台部１２と、それらの両側部を連結する左右両側板１３，１３と、笠部１１、台部１２、左右両側板１３，１３間の背面に設けられた背板１４と、笠部１１、台部１２、左右両側板１３，１３間の背板１４の前面側に設けられた後背板１５とから構成されている。これら各構成部材には、背板１４を除いて、例えばウオールナットなどの銘木材が用いられている。
【００２５】
そして、該箱型匡体１の上部側笠部１１の台輪１１ｂの下面及び下部側台部１２の敷居１２ｃの上面には、それぞれ掛軸挿入溝１１ｃ、１２ｄが設けられており、これら掛軸挿入溝１１ｃ、１２ｄ間に仏像２３ａを表示した仏画紙２３を有する短冊板構造の掛軸２の上下両端２１ｂ，２１ｃが嵌合（挿入）されて、上記背板１４および左右両側板１３，１３から離間した立体的な状態で着脱可能に支持されている。これら掛軸挿入溝１１ｃ、１２ｄ相互の深さ関係は、上部側１１ｃの方が下部側１２ｄよりも所定寸法深く形成されており、嵌合時及び取り外し時には、掛軸２の上端２１ｂを掛軸挿入溝１１ｃの上端まで突き当てた状態で、下端２１ｃを掛軸挿入溝１２ｄに入れるか、又は取り出すようにする。また、下部側の掛軸挿入溝１２ｄは、図１及び図２に示すように、掛軸挿入溝１１ｃ、１２ｄ間に挿入嵌合された掛軸２の上端２１ｂが掛軸挿入溝１１ｃ内に所定寸法係合し、安定した支持状態に維持される深さのものとなっている。
【００２６】
背板１４には、一例として、例えば裏面側がウオールナットと同色に塗装されたベニヤ板が使用され、その上部側は、上記台輪１１ｂ後端の断面鉤形の背板嵌合部１１ｆに、下部側は、上記敷居１２ｃ後端の断面鉤形の背板嵌合部１２ｆに、それぞれ嵌合する形で取り付けられている。
【００２７】
後背板１５は、一例として、例えばウオールナット材を用いた突き板により構成されていて、例えば図３及び図４に示すように、左右両方向に円弧形状に曲成され、上記箱型匡体１内中央部に支持された上記短冊板構造の掛け軸２の背後に中央部が窪んだ凹面形状の奥行きのある掛け軸設置空間を上下方向に延びる形で形成している。この後背板１５の上下両端部は、例えば図２に示すように、上記台輪部１１ｂの下面、敷居１２ｃの上面に設けられた同じ円弧形状の凹溝部１１ｅ，１２ｅにそれぞれ係合され、また、左右両端部は、例えば図５のように、左右両側板１３，１３の内面に設けられたＶ字形状の溝１３ｄ，１３ｄにそれぞれ無理嵌めされ、それによって上記凹面形状に維持されている。
【００２８】
また、左右両側板１３，１３の中央部１３ｃ，１３ｃ部分の前後方向の幅は、例えば図２に示すように、上下両端部１３ａ，１３ｂ部分よりも所定寸法以上小さく形成されていて、上記掛軸２中央の上下方向に長い長方形状の仏画紙２３の上下幅（長さ）に対応した緩やかな曲面状の凹部を形成しており、同凹部によって掛け軸２における上下方向中央部の仏画紙２３の仏像２３ａ部分が相対的に前方に位置して見えるように構成している。
【００２９】
この結果、同構成によれば、上記短冊板構造の独立したユニット構造体の掛軸２が、上記箱型匡体１内の中央部に位置し、上記背板１４および左右両側板１３，１３から離間した立体的な状態で、笠部１１と台部１２との間に設置されて、掛軸２自体が前後左右方向に立体的に支持されていることと相俟って、より掛軸２の仏画紙２３の仏像２３ａ部分の立体感を実現することができ、さらに正面からだけでなく、斜め方向からも立体感を伴って良く見えるようになる。
【００３０】
また、左右両側板１３，１３の上下両端１３ａ，１３ａ、１３ｂ，１３ｂ部分には、例えばウオールナット材の色および木目模様に対して有効なコントラストを有する所定の長さのオーク材１６，１６、１６，１６よりなる象嵌加工が施され、それによって、上記左右両側板１３，１３の上下両端１３ａ，１３ａ、１３ｂ，１３ｂ部分の前方への突出感を強調していると共に、より中央部の凹部感を深くするようにしている。この結果、同構成によっても、より掛軸２中央の仏画部分の立体感が表される。
【００３１】
一方、短冊板構造の掛け軸２は、上下に長い所定厚さの短冊板２１の中央部分が上下方向に長い長方形状の窓枠２１ａ構造に刳り抜かれ（図１３及び図１４参照）、その背面側に、仏像（絵像）２３ａを表した仏画紙２３を前面側に貼った仏画シール２２（図１５及び図１６参照）が貼り付けられている（図１０及び図１１参照）。この実施の形態の場合、仏画シール２２は、短冊板２１と同じ形状、同じ大きさに形成され、その前面側の上端から下端までの全体が接着面２２ａに形成されている。
【００３２】
そして、その接着面２２ａを利用して、まず中央部に仏像２３ａを表した上下方向に長い長方形状の仏画紙２３が貼られ（図１５及び図１６の状態）、その後、同仏画紙２３の上下に残された接着面２２ａ，２２ａを利用して、図１３及び図１４に示される短冊板２１の背面に、図１０及び図１１に示すように貼り付けられる。そして、同貼り付け状態では、当該仏画シール２２の前面に貼られた仏画紙２３の仏像２３ａ部分が、短冊板２１の窓枠２１ａの開口から前方に臨まされる。このようにして、短冊板構造の掛軸２が構成される（図１０及び図１１参照）。
【００３３】
上記短冊板２１は、一例として、例えば匡体１側ウオールナットの色および木目模様に対して有効なコントラストを有するオーク材が用いられており、それによっても箱型匡体１内における掛軸２の立体感を出すようにしている。
【００３４】
このような構成の場合、宗派に応じた所望の仏像２３ａを表す仏画紙２３を任意に採用し、同仏画紙２３を仏画シール２２の前面に貼り、その後、同仏画シール２２を短冊板２１の裏面に貼り付けるだけで、各宗派に応じた複数の種類の掛け軸２，２・・を構成することができ、図６〜図９に示す箱型匡体１はもちろん、図１３及び図１４に示す短冊板２１、図１５及び図１６に示す仏画シール２２をも構成上共用化することができるようになる。
【００３５】
この場合、上記仏画紙２３を貼り付ける仏画シール２２には、例えば裏面２２ｂ側に所定の木目模様を印刷した可撓性のある合性樹脂製のシート材を用いており、短冊板２１裏面への貼り付け（接合）作業が容易になるように考慮されている。もちろん、この仏画シール２２には、それ以外に、例えば短冊板２１と同じオーク材の突き板を用いた所定の厚さの可撓性のある薄板を用いても良い。
【００３６】
さらに、この実施の形態の構成では、上記箱型匡体１の掛軸設置空間上端側には、台輪１１ｂの前端側中央部に位置して円弧形状の隠し縁１１ｄが下方に向けて設けられており、上記箱型匡体１の掛軸設置空間内に設置された掛軸２の上端側を覆うようにして、上端側台輪１１ｂ部分への嵌合部が見えないようにしており、掛軸設置空間の内部的な深みを表すと同時に、また掛軸２そのものの自立状態を感じさせるようにしている。この隠し縁１１ｄは、台輪１１ｂの下面側に形成された溝１１ｇ内に上端側を嵌合して固定されている。
【００３７】
以上に説明したように、本願考案の実施の形態に係るスタンド掛軸は、仏壇の中央に安置して使用するスタンド型の掛け軸であって、上部に笠部１１、下部に台部１２、左右に側板１３，１３、背部に背板１４を備え、前面側を開放した前後方向に所定寸法以上の奥行きがある縦長の箱型匡体１と、該箱型匡体１の内側中央部に位置し、当箱型匡体１の上記背板１４および左右両側板１３，１３から離間した状態で、上記笠部１１と台部１２との間に着脱可能に支持された短冊板構造の掛け軸２とからなっている。
【００３８】
このような構成によると、掛軸２が設置される箱型匡体１が、上部に笠部１１、下部に台部１２、左右に側板１３，１３、背部に背板１４を備え、前後方向に所定寸法以上の奥行きがある重厚、かつ厳粛な寺院構造に形成されており、その中に短冊板構造の独立したユニット構造体の掛軸２が、中央部に位置し、上記背板１４および左右両側板１３，１３から所定の距離だけ離間した立体的な状態で、上記笠部１１と台部１２との間に設置される。
【００３９】
したがって、製品全体として、効果的に重厚さ、厳粛さ、立体感を実現することができる。
【００４０】
また、掛け軸２自体が、短冊板構造をなし、箱型匡体１とは別体の独立したユニット構造体となっていて、箱型匡体１の笠部１１と台部１２との間に着脱可能な状態で設置されるようになっている。
【００４１】
したがって、重厚さ、厳粛さのある箱型匡体１そのものをプラットフォーム品として共用化し、短冊板２１自体に表示される仏画や題目を各宗派に応じたものとすれば、短冊板２１を交換するだけで、全ての宗派に応じたスタンド掛軸を構成することができる。
【００４２】
しかも、予め仏画や題目文字が表示されている独立した構造体である短冊板２１自体を交換するので、従来のアクリル板構造のスタンド掛け軸のように、薄い仏画紙、題目紙を挟み込む手間は要らず、板であるから破れる恐れもない。
【００４３】
また、以上の構成では、箱型匡体１内の背板１４の手前には後背板１５が設けられ、該後背板１５は左右両方向に円弧形状に曲成され、中央部に支持された掛軸２の背後に背面側中央部が窪んだ凹面形状の奥行きのある掛け軸設置空間が形成されている。
【００４４】
このような構成によれば、より奥行き感があり、より立体感のある掛軸構造を実現することができる。
【００４５】
さらに、以上の構成の場合、上記箱型匡体１の左右両側板１３，１３中央部の前後方向の幅は上下両端側より小さく形成され、掛け軸２中央の仏画表示部分に前方への立体感を与えているとともに、斜め方向からも立体感を伴って良く見えるようにしている。
【００４６】
このような構成によれば、掛軸２中央の仏画部分が、より立体的に見えるようになり、また左右斜め方向からも見やすくなる。
【００４７】
以上の結果、本願考案の実施の形態によると、従来のスタンド型掛軸にはない、重厚、かつ厳粛で、立体感に富み、しかも、仏画部等の交換、組み換えが容易なスタンド型掛け軸を実現することができる。
【００４８】
＜変形例１について＞
次に、図１７は、上記本願考案の実施の形態の変形例１に係るスタンド掛軸の箱型匡体の後背板部分の構成を示している。
【００４９】
上述した箱型匡体１における後背板１５は、一例として、木目模様が美しく、薄くて曲げ加工が容易な突き板を使用して構成されている。しかし、突き板は、薄くて、割れやすい欠点も持っている。
【００５０】
そこで、この変形例では、その欠点を補うために、当該突き板１５ａの裏面側に、たとえば透明なフィルム状のポリエチレンシートなどの伸縮性のある樹脂製補強シート１５ｂを貼り合わせて一体に構成したことを特徴としている。
【００５１】
このような構成を採用すると、突き板独特の木目の美しさを失わせることなく、割れにくく、加工性の良い後背板１５を実現することができる。
【００５２】
＜変形例２について＞
次に、図１８〜図２１は、上記本願考案の実施の形態の変形例２に係るスタンド掛軸の掛け軸部分の構成を示している。
【００５３】
上記実施の形態では、図１０及び図１１、図１５及び図１６に示すように、仏画シール２２が短冊板２１と同じ形状、同じ大きさに形成され、短冊板２１の裏面側全体に貼り付けられるようになっている。したがって、接着面積も広く、シール材、接着剤が多く必要なだけでなく、接合作業にも時間を要する。
【００５４】
そこで、この変形例２の構成では、たとえば図１８及び図１９に示すように、仏画シール２２の上下両端側の長さを大幅に短く形成し、最低限必要な接着面２２ａ，２２ａを残して、図２０及び図２１のように短冊板２１の裏面に貼り付けるようにしている。
【００５５】
このような構成によると、接着面積が大幅に減り、シール材、接着剤を節約できることは素より、接合作業も簡単になり、製造効率が向上する。
【００５６】
＜その他の変形例＞
匡体１、掛け軸２等を構成する素材は、ウオールナット、オーク材に限られるものでないことはもちろんであり、各種の銘木、木材、その他、合成樹脂材の採用も可能である。
【符号の説明】
【００５７】
１は箱型匡体、２は掛軸、１１は笠部、１２は台部、１３は側板、１４は背板、１５は後背板、２１は短冊板、２１ａは窓枠、２２は仏画シール、２２ａは接着面、２３は仏画紙、２３ａは仏像（絵像）である。